(57)【要約】【課題】携帯端末等を利用する被保護者がインターネット等の外部ネットワークを利用する際に、保護者が、その被保護者を、監視可能な環境に物理的に移動させることができる通信システム等を提供する。【解決手段】本発明に係る通信システムは、通信装置と、前記通信装置と接続された中継装置とを含む通信システムであって、前記通信装置は、保護者端末からの接続制限を行う旨の通知に応じて、前記中継装置と被保護者端末との接続を制限する旨を示す接続制限通知を前記中継装置に送信し、前記保護者端末または前記被保護者端末からの指示に応じて、前記中継装置と前記被保護者端末との接続制限を解除する旨を示す制限解除通知を前記中継装置に送信し、前記中継装置は、前記接続制限通知を受信した場合、前記被保護者端末と前記中継装置との接続を制限し、前記制限解除通知を受信した場合、前記被保護者端末と前記中継装置との接続制限を解除する。【選択図】      図１
2020167727.tif 000002
【特許請求の範囲】
【請求項１】
通信装置と、前記通信装置と接続された中継装置とを含む通信システムであって、
前記通信装置は、保護者端末からの接続制限を行う旨の通知に応じて、前記中継装置と被保護者端末との接続を制限する旨を示す接続制限通知を前記中継装置に送信し、前記保護者端末または前記被保護者端末からの指示に応じて、前記中継装置と前記被保護者端末との接続制限を解除する旨を示す制限解除通知を前記中継装置に送信し、
前記中継装置は、前記接続制限通知を受信した場合、前記被保護者端末と前記中継装置との接続を制限し、前記制限解除通知を受信した場合、前記被保護者端末と前記中継装置との接続制限を解除することを特徴とする通信システム。
【請求項２】
前記通信装置は、前記保護者端末と前記被保護者端末とのそれぞれに割り当てられた端末識別情報のうち、前記保護者端末の端末識別情報を記憶する保護者端末情報記憶手段を備え、
前記通信装置は、前記保護者端末情報記憶手段に記憶されている前記端末識別情報の前記保護者端末が前記通信装置に接続された場合、前記被保護者端末の接続制限を行うか否かの通知を当該保護者端末に送信し、当該保護者端末から、接続制限を行う旨の返信があった場合、前記接続制限通知を前記中継装置に送信することを特徴とする請求項１の通信システム。
【請求項３】
前記通信装置は、前記被保護者端末の、前記中継装置への接続の可否を、前記被保護者端末の前記端末識別情報とともに記憶する被保護者端末情報記憶手段を備えることを特徴とする、
請求項２の通信システム。
【請求項４】
前記中継装置は、前記被保護者端末の、前記中継装置への接続の可否を、前記被保護者端末の前記端末識別情報とともに記憶する被保護者端末制限状態記憶手段を備えることを特徴とする、
請求項２または３の通信システム。
【発明の詳細な説明】
【技術分野】
【０００１】
本発明は、通信システム、接続制御方法および接続制御プログラムに関し、特に、中継装置を使用して接続エリアを広げる通信システム、接続制御方法および接続制御プログラムに関する。
【背景技術】
【０００２】
近年のスマートフォン等の携帯端末の急激な普及によって、未成年者（被保護者）による携帯端末からのインターネットの利用を、保護者が十分に管理できない点が問題となっている。
【０００３】
この問題への対応のため、通信装置には、一般的に、特定のＭＡＣ（「Ｍｅｄｉａ  Ａｃｃｅｓｓ  Ｃｏｎｔｒｏｌ」の略称）アドレスの端末からの接続を制限したり、被保護者の端末の無線接続を時間帯によって制限したり、また、特定のエリアで特定の端末に通信制限を設けるなどの対策がとられることが多い。
【０００４】
しかし、例えば、無線ＬＡＮ（「Ｌｏｃａｌ  Ａｒｅａ  Ｎｅｔｗｏｒｋ」の略称）中継装置を使用して、無線ＬＡＮの接続エリアを広げている場合などは、保護者の管理しやすい無線ＬＡＮ親機にではなく、保護者の監視が行き届きづらい無線ＬＡＮ中継装置への携帯端末の接続およびインターネットの利用が問題となる。
【０００５】
可搬型の無線中継装置に関して、特許文献１に記載の技術では、無線中継装置内に、接続可能な無線ＬＡＮ親機および広域無線通信サービス基地局に対する、優先順位を含む接続／切断設定テーブルを保存する。これにより、可搬型無線中継装置の使用者が移動中であっても、使用者が希望する無線ＬＡＮ親機に対してスムーズに無線ＬＡＮ端末を再接続させることができる。
【０００６】
特許文献２に記載の技術では、列車における無線中継システムにおいて、基地局との無線環境が良い場合、無線端末部が基地局に接続して、携帯端末に無線サービスを提供する。無線環境が悪い場合、隣接する他の無線中継機へ無線回線を接続し、当該他の無線中継機を経由して無線サービスを提供する。このため、列車に設置された中継機の無線環境が車両ごとに異なっても、効率良く、高品質な無線サービスを提供することができる。
【０００７】
また、無線接続エリアの制御に関して、特許文献３には、微弱な電波でパソコンと通信可能な導波シート（信号伝達装置）を使用してネットワークのエリア管理を行うことにより、無線ＬＡＮシステムのセキュリティを向上するための技術が記載されている。
【０００８】
また、ＭＡＣアドレスフィルタリング機能に関して、特許文献４に記載の技術では、無線アクセスポイント親機のＭＡＣアドレスフィルタ情報を更新する処理を自動的に行うことにより、オペレータ操作による入力作業が不要となる。これにより、システムへの無線ＬＡＮ端末の追加や交換の際に、フィルタ情報を適正かつ速やかに更新することができる。
【先行技術文献】
【特許文献】
【０００９】
【特許文献１】特開２０１３−１９１９９３号公報
【特許文献２】特開２００９−２５３４６６号公報
【特許文献３】特開２０１０−１２８８８４号公報
【特許文献４】特開２００７−０１９９４７号公報
【発明の概要】
【発明が解決しようとする課題】
【００１０】
しかしながら、ＩＴリテラシーの向上などを目的にしたインターネットの適切な利用を促進するために、スマートフォン等の携帯端末による無線接続においても、特定の、管理された環境下でのインターネットへの接続（例えば、被保護者は、保護者の監督のもとでしか接続できないなど）を実現するための技術が要望されている。
【００１１】
なお、特許文献１乃至４には、携帯端末を利用する被保護者が、特定の、管理された環境（例えば、保護者の周囲、または保護者の監督下、等）の下でしかインターネットへ接続できないようにするための技術については、何ら記載が無い。
【００１２】
本発明の目的は、携帯端末等を利用する被保護者がインターネット等の外部ネットワークを利用する際に、保護者が、その被保護者を、監視可能な環境に物理的に移動させることができる通信システム等を提供することにある。
【課題を解決するための手段】
【００１３】
本発明の通信システムは、
制御手段と、第１の端末に割り当てられた端末識別情報を記憶する端末情報記憶手段とを備える通信装置と、
前記通信装置に接続され、中継装置制御手段と、第２の端末に割り当てられた端末識別情報および前記第２の端末の自装置への接続制限状態を関連づけて記憶する端末制限状態記憶手段とを備える中継装置と
を含み、
前記制御手段は、前記端末情報記憶手段に前記端末識別情報が記憶されている前記第１の端末が前記通信装置に接続された場合、前記第２の端末の前記中継装置への接続を制限する旨を示す接続制限通知を前記中継装置に送信し、
前記中継装置制御手段は、前記接続制限通知を受信した場合、前記端末制限状態記憶手段に記憶されている前記端末識別情報に関連づけられている接続制限状態を、接続制限中を示す情報に更新する。
【００１４】
また、本発明の通信装置は、
制御手段と、第１の端末に割り当てられた端末識別情報を記憶する端末情報記憶手段と、外部入力手段とを備え、
前記制御手段は、
前記端末情報記憶手段に前記端末識別情報が記憶されている前記第１の端末が接続され、前記第１の端末へ第２の端末の中継装置への接続を制限するか否かの確認通知を送信し、前記確認通知に応答して、前記第１の端末から、前記第２の端末の接続を制限する旨の返信を受信した場合、前記第２の端末の前記中継装置への接続を制限する旨を示す接続制限通知を前記中継装置に送信し、
前記外部入力手段から、接続を制限する少なくとも１つの前記第２の端末を示す端末識別情報が入力された場合、当該端末識別情報を含む前記接続制限通知を、前記中継装置に送信し、
前記第１の端末から、接続制限を解除するべき前記第２の端末を示す端末識別情報を含む制限解除通知送信指示を受信した場合、前記制限解除通知送信指示に含まれる端末識別情報を含む、前記第２の端末の接続制限を解除する旨を示す制限解除通知を前記中継装置に送信し、
前記第１の端末から、接続制限を解除するべき前記第２の端末を示す端末識別情報を含まない制限解除通知送信指示を受信した場合、端末識別情報を含まない前記制限解除通知を前記中継装置に送信する。
【００１５】
また、本発明の中継装置は、
中継装置制御手段と、第２の端末に割り当てられた端末識別情報および前記第２の端末の接続制限状態を関連づけて記憶する端末制限状態記憶手段とを備え、
前記中継装置制御手段は、
前記第２の端末の接続を制限する旨を示す接続制限通知を受信した場合、前記端末制限状態記憶手段に記憶されている端末識別情報に関連づけられている接続制限状態を、接続制限中を示す情報に更新し、
受信した前記接続制限通知に端末識別情報が含まれている場合、前記端末制限状態記憶手段に記憶されている端末識別情報のうち、前記接続制限通知に含まれている端末識別情報と同じ端末識別情報に関連づけられている接続制限状態を、接続制限中を示す情報に更新し、
前記第２の端末の接続制限を解除する旨を示す制限解除通知を受信した場合、前記端末制限状態記憶手段に記憶されている端末識別情報のうち、前記制限解除通知に含まれる端末識別情報と同じ端末識別情報に関連づけられている接続制限状態を、接続許可中を示す情報に更新し、
端末識別情報が含まれていない前記制限解除通知を受信した場合、前記端末制限状態記憶手段に記憶されている端末識別情報に関連づけられている接続制限状態を、接続許可中を示す情報に更新する。
【００１６】
また、本発明の接続制御方法は、
第１の端末に割り当てられた端末識別情報を記憶する端末情報記憶手段に前記端末識別情報が記憶されている端末が接続された場合、第２の端末に割り当てられた端末識別情報および前記第２の端末の接続制限状態を関連づけて記憶する端末制限状態記憶手段に記憶されている、前記端末識別情報に関連づけられている接続制限状態を、接続制限中を示す情報に更新する。
【００１７】
また、本発明の接続制御プログラムは、
第１の端末に割り当てられた端末識別情報を記憶する端末情報記憶手段に前記端末識別情報が記憶されている端末が接続された場合、第２の端末に割り当てられた端末識別情報および前記第２の端末の接続制限状態を関連づけて記憶する端末制限状態記憶手段に記憶されている、前記端末識別情報に関連づけられている接続制限状態を、接続制限中を示す情報に更新する接続制限処理
をコンピュータに実行させる。
【発明の効果】
【００１８】
本発明には、携帯端末等を利用する被保護者がインターネット等の外部ネットワークを利用する際に、保護者が、その被保護者を、監視可能な環境に物理的に移動させることができるという効果がある。
【図面の簡単な説明】
【００１９】
【図１】本発明の第１の実施形態を示すブロック図である。
【図２】第１の実施形態における、保護者端末テーブル１２１の一例を示す図である。
【図３】第１の実施形態における、被保護者端末制限解除許可テーブル１２２の一例を示す図である。
【図４】第１の実施形態における、端末制限状態テーブル２２１の一例を示す図である。
【図５】第１の実施形態における、接続制限設定時の通信装置１０の動作を示すフローチャートである。
【図６】第１の実施形態における、接続制限設定時の中継装置２０の動作を示すフローチャートである。
【図７】第１の実施形態における、接続端末からの接続制限解除指示時の通信装置１０の動作を示すフローチャートである。
【図８】第１の実施形態における、外部入出力デバイス４０からの接続制限解除指示時の通信装置１０の動作を示すフローチャートである。
【図９】第１の実施形態における、接続制限解除時の中継装置２０の動作を示すフローチャートである。
【図１０】本発明の第２の実施形態を示すブロック図である。
【図１１】第２の実施形態における、接続制限設定時の中継装置６０の動作を示すフローチャートである。
【図１２】第２の実施形態における、接続制限解除時の中継装置６０の動作を示すフローチャートである。
【図１３】本発明の第３の実施形態を示すブロック図である。
【発明を実施するための形態】
【００２０】
次に、本発明の実施形態について図面を参照して詳細に説明する。
【００２１】
［第１の実施形態］
図１は本発明の第１の実施形態を示すブロック図である。
【００２２】
図１を参照すると、本システムは、通信装置１０と、通信装置１０と接続された中継装置２０と、それぞれ固有の端末識別情報（例えば、ＭＡＣアドレス等）が割り当てられている少なくとも１つの端末３０と、通信装置１０と接続された１つまたは複数の外部入出力デバイス４０とを含む。
【００２３】
通信装置１０と中継装置２０とは、有線または無線で接続されており、相互にデータをやり取りすることができる。
【００２４】
端末３０は、通信装置１０または中継装置２０のどちらへも接続可能な情報処理装置である（例えば、スマートフォン等の携帯端末や、パソコン等）。なお、端末３０と、通信装置１０または中継装置２０との接続は、無線接続でも有線接続でもどちらでもよい。端末３０は、通信装置１０または中継装置２０へ情報を入力するとともに、通信装置１０または中継装置２０の情報を出力する（例えば、表示画面へ表示する等。）ことができる。また、端末３０を使用して本システムを利用する利用者は、保護者と被保護者とに区別される。以降、保護者が使用する端末３０を特に区別して示す必要がある場合は、「保護者端末３０」と称し、被保護者が使用する端末３０を特に区別して示す必要がある場合は、「被保護者端末３０」と称する。なお、以降の説明において、被保護者端末３０は、通信装置１０または中継装置２０としか通信することができないものとする。
【００２５】
通信装置１０は、制御部１１と、保護者端末テーブル１２１および被保護者端末制限解除許可テーブル１２２を備える記憶部１２と、入出力部１３とを含む。
【００２６】
制御部１１は、中継装置２０との通信制御処理や、端末３０に割り当てられた端末識別情報を基にした接続制御処理や、端末３０との接続時の通信制御処理などを実行する。制御部１１は、プログラムを記憶する記憶デバイス（図示せず）と、そのプログラムをメモリに読み込んで命令を実行するプロセッサ（図示せず）とを含む。
【００２７】
入出力部１３は、外部入出力デバイス４０との間でデータのやり取りを行う。ここで、外部入出力デバイス４０は、利用者が通信装置１０に情報を入力するためのキーボード、マウス、ボタン、ＮＦＣ（「Ｎｅａｒ  Ｆｉｅｌｄ  Ｃｏｍｍｕｎｉｃａｔｉｏｎ」の略称）読み取り装置等、および利用者へ通信装置１０の情報を表示するための表示画面、ランプ、スピーカ等を含む。
【００２８】
中継装置２０は、中継装置制御部２１と、端末制限状態テーブル２２１を備える中継装置記憶部２２とを含む。
【００２９】
中継装置制御部２１は、通信装置１０との通信制御処理や、端末３０に割り当てられた端末識別情報を基にした接続制御処理や、端末３０との接続時の通信制御処理などを実行する。中継装置制御部２１は、プログラムを記憶する記憶デバイス（図示せず）と、そのプログラムをメモリに読み込んで命令を実行するプロセッサ（図示せず）とを含む。
【００３０】
図２は、本実施形態における保護者端末テーブル１２１の一例を示す図である。
【００３１】
図２を参照すると、保護者端末テーブル１２１は、保護者端末３０に割り当てられた端末識別情報が予め事前に登録される保護者端末識別欄を含む。
【００３２】
例えば、図２の１行目のレコードを参照すると、保護者端末３０に割り当てられた端末識別情報の１つは、「Ｔ００１」であることが判る。
【００３３】
図３は、本実施形態における被保護者端末制限解除許可テーブル１２２の一例を示す図である。
【００３４】
図３を参照すると、被保護者端末制限解除許可テーブル１２２は、被保護者端末識別欄と、制限解除許可状態欄とを含む。被保護者端末識別欄には、被保護者端末３０に割り当てられた端末識別情報が予め事前に登録される。制限解除許可状態欄には、上記被保護者端末識別欄の端末を使用している被保護者自身による制限解除操作を許可するか否かを示す情報（例えば、制限解除操作を許可する場合は「許可」、許可しない場合は空白）が予め事前に登録される。
【００３５】
例えば、図３の１行目のレコードを参照すると、被保護者端末識別欄には「ＨＨ００１」が登録され、制限解除許可状態欄には「許可」が登録されている。すなわち、ＨＨ００１という端末識別情報が割り当てられた被保護者端末３０を使用した制限解除操作が、許可されているということが判る。
【００３６】
図４は、本実施形態における端末制限状態テーブル２２１の一例を示す図である。
【００３７】
図４を参照すると、端末制限状態テーブル２２１は、端末識別欄と制限状態欄とを含む。端末識別欄には、被保護者端末３０に割り当てられた端末識別情報が予め事前に登録される。制限状態欄には、上記端末識別欄の端末の、中継装置２０への接続制限の状態を示す情報（例えば、接続制限がかけられている場合は「制限中」、接続制限がかけられていない場合は「許可中」）が登録される。
【００３８】
例えば、図４の１行目のレコードを参照すると、端末識別欄には「ＨＨ００１」が登録され、制限状態欄には「許可中」が登録されている。すなわち、ＨＨ００１という端末識別情報が割り当てられた被保護者端末３０は、中継装置２０への接続が許可されているということが判る。
【００３９】
次に、中継装置２０への接続が制限される被保護者端末３０の情報を、中継装置２０へ登録する際の、通信装置１０の制御部１１と中継装置２０の中継装置制御部２１との動作について、図５および図６のフローチャートを参照して説明する。
【００４０】
図５は、中継装置２０への接続が制限される被保護者端末３０の情報を中継装置２０へ登録する際の、制御部１１の動作を示すフローチャートである。
【００４１】
図５を参照すると、まず、通信装置１０に端末３０が接続すると、制御部１１は、その接続した端末３０の端末識別情報を取得する（ステップＳ１０１）。
【００４２】
次に、制御部１１は、取得した端末識別情報を基に保護者端末テーブル１２１の端末識別欄を検索し（ステップＳ１０２）、その端末識別情報が登録されているか否かを判別する（ステップＳ１０３）。
【００４３】
端末識別情報が登録されている場合（ステップＳ１０３で「ＹＥＳ」の場合）、制御部１１は、その端末は保護者端末３０であると判別する。そして、制御部１１は、その保護者端末３０へ、被保護者端末の接続制限を行うか否かの確認通知を送付する。送付した確認通知に応答して、保護者端末３０から接続制限を行う旨の返信があった場合、制御部１１は、被保護者端末３０の中継装置２０への接続を制限する旨を示す接続制限通知を中継装置２０に送信する（ステップＳ１０４）。なお、このとき、上記接続制限通知には特定の被保護者端末３０の端末識別情報は含まない。そのため、全ての被保護者端末３０の中継装置２０への接続を制限するということを表す。また、上述の確認通知に応答して、保護者端末３０から接続制限を行わない旨の返信があった場合、制御部１１は、接続制限通知を送信しない。
【００４４】
また、保護者端末テーブル１２１に端末識別情報が登録されていない場合（ステップＳ１０３で「ＮＯ」の場合）、すなわち、接続した端末３０が被保護者端末３０の場合、制御部１１は特に何もしない。
【００４５】
なお、ここで、上述の図５に示すフローチャートの処理とは別に、外部入出力デバイス４０の入力手段がキーボード等である場合、利用者が、そのキーボード等から、通信装置１０の設定Ｗｅｂ画面にアクセスし、接続制限通知を送信する旨の指示と、その接続制限通知に含める少なくとも１つの被保護者端末３０の端末識別情報とを入力することを可能とする。なお、上記の接続制限通知を送信する旨の指示および被保護者端末３０の端末識別情報は、通信装置１０に接続した保護者端末３０を利用して上述の設定Ｗｅｂ画面にアクセスし、入力してもよい。そして、制御部１１は、入力された被保護者端末３０の端末識別情報を含む接続制限通知を、中継装置２０に送信する。この場合、接続制限通知に含まれる端末識別情報が示す被保護者端末３０のみ中継装置２０への接続が制限されるということを表す。
【００４６】
図６は、中継装置２０への接続が制限される被保護者端末３０の情報を中継装置２０へ登録する際の、中継装置制御部２１の動作を示すフローチャートである。
【００４７】
図６を参照すると、まず、中継装置制御部２１は、通信装置１０から接続制限通知を受信する（ステップＳ２０１）。
【００４８】
次に、通信装置制御部２１は、受信した接続制限通知に、被保護者端末３０の端末識別情報が含まれているか否かを判別する（ステップＳ２０２）。
【００４９】
接続制限通知に端末識別情報が含まれている場合（ステップＳ２０２で「ＹＥＳ」の場合）、中継装置制御部２１は、その端末識別情報を基に端末制限状態テーブル２２１の端末識別欄を検索し、同じ端末識別情報が登録されているレコードの制限状態欄に「制限中」を登録する（ステップＳ２０３）。また、その登録時に、中継装置制御部２１は、その端末識別情報が示す被保護者端末３０が中継装置２０に接続している場合は、その被保護者端末３０を切断する。
【００５０】
接続制限通知に端末識別情報が含まれていない場合（ステップＳ２０２で「ＮＯ」の場合）、中継装置制御部２１は、端末制限状態テーブル２２１に登録されている全てのレコードの制限状態欄に「制限中」を登録する（ステップＳ２０５）。また、中継装置制御部２１は、中継装置２０に接続している全ての被保護者端末３０を切断する。
【００５１】
次に、中継装置制御部２１は、被保護者端末３０の接続制限の設定が完了した旨の情報を含む接続制限応答を、通信装置１０に送信する（ステップＳ２０４）。
【００５２】
以降、中継装置制御部２１は、端末制限状態テーブル２２１を参照し、制限状態欄に「制限中」が登録されているレコードの端末識別欄に登録されている端末識別情報が示す被保護者端末３０の、中継装置２０への接続制限処理を実行する。なお、端末識別情報を基に装置への接続を制限する方法は一般的なので（例えば、ＭＡＣアドレスフィルタリング等）、詳細な説明は省略する。
【００５３】
このようにして、保護者端末３０が通信装置１０に接続することにより、被保護者端末３０の中継装置２０への接続に制限をかけることができる。これにより、被保護者端末３０は、中継装置２０とは接続できず、通信装置１０とのみ接続可能となる。例えば、自宅内の通信装置１０と通信可能な場所にいる保護者が、被保護者を監視可能な環境にすることができる。なお、保護者が監視できる範囲の外から、被保護者が通信装置１０に接続することを防ぐために、通信装置１０と被保護者端末３０との間の通信の速度を落としたり、通信装置１０の無線の送信出力を落として通信範囲を狭めたりすることも可能である。
【００５４】
次に、中継装置２０への接続を制限されている被保護者端末３０の接続制限を解除する際の、通信装置１０の制御部１１と中継装置２０の中継装置制御部２１との動作について、図７乃至図９のフローチャートを参照して説明する。
【００５５】
図７は、利用者が、通信装置１０に接続している端末３０を使用して、被保護者端末３０の中継装置２０への接続制限を解除する際の、制御部１１の動作を示すフローチャートである。
【００５６】
図７を参照すると、まず、制御部１１は、通信装置１０に接続している端末３０の利用者が当該端末３０から入力した、制限解除通知送信指示を受信する（ステップＳ３０１）。ここで、制限解除通知送信指示は、制御部１１から中継装置２０へ制限解除通知を送信するための指示である。制限解除通知送信指示には、接続制限が解除されるべき１つまたは複数の被保護者端末３０を示す端末識別情報を含む。
【００５７】
なお、制御部１１から中継装置２０へ送信する制限解除通知は、被保護者端末３０の接続制限を解除する旨を示す通知である。制限解除通知には、被保護者端末３０に対して制限を解除するべき範囲を示す「解除単位」と、接続制限が解除される端末の端末識別情報を示す「解除端末」とを含む。例えば、「解除単位」には、全ての被保護者端末３０の制限を解除する場合には「全て」が、また、特定の被保護者端末３０の制限を解除する場合は「個別」が設定される。そして、「解除単位」が「個別」の場合には、１つまたは複数の被保護者端末３０を示す端末識別情報が「解除端末」に設定される。
【００５８】
次に、制御部１１は、受信した制限解除通知送信指示を送信した端末３０が保護者端末３０か否かを判別する（ステップＳ３０２）。すなわち、当該端末３０の端末識別情報を基に、保護者端末テーブル１２１の端末識別欄を検索し、その端末識別情報が登録されているか否かを判別する。
【００５９】
端末識別情報が保護者端末テーブル１２１に登録されている場合、制御部１１は、その端末は保護者端末３０であると判別する（ステップＳ３０２で「ＹＥＳ」）。その場合、制御部１１は、制限解除通知に含まれる解除単位に「個別」を設定するとともに、解除端末に、ステップＳ３０１で受信した制限解除通知送信指示に含まれる１つまたは複数の被保護者端末３０を示す端末識別情報を設定する（ステップＳ３０３）。そして、制御部１１は、制限解除通知を中継装置２０に送信する（ステップＳ３０４）。
【００６０】
一方、ステップＳ３０２で、端末識別情報が保護者端末テーブル１２１に登録されていない場合、制御部１１は、その端末は被保護者端末３０であると判別する（ステップＳ３０２で「ＮＯ」）。その場合、制御部１１は、その被保護者端末３０による制限解除が許可されているか否かを判別する（ステップＳ３０５）。すなわち、制御部１１は、その被保護者端末３０を示す端末識別情報を基に、被保護者端末制限解除許可テーブル１２２の被保護者端末識別欄を検索する。そして、同じ端末識別情報が登録されているレコードの制限解除許可状態欄に「許可」が登録されているか否かを判別する。
【００６１】
ステップＳ３０５で、制限解除許可状態欄に「許可」が登録されている場合、制御部１１は、その被保護者端末３０による制限解除が許可されていると判別する（ステップＳ３０５で「ＹＥＳ」）。その場合、制御部１１は、制限解除通知に含まれる解除単位に「個別」を設定するとともに、解除端末に、その被保護者端末３０を示す端末識別情報を設定する（ステップＳ３０６）。そして、制御部１１は、制限解除通知を中継装置２０に送信する（ステップＳ３０４）。
【００６２】
なお、ステップＳ３０５で制限解除許可状態欄に「許可」が登録されていない場合、制御部１１は、その被保護者端末３０による制限解除が許可されていないと判別する（ステップＳ３０５で「ＮＯ」）。その場合、制御部１１は、特に何もしない。
【００６３】
図８は、利用者が、通信装置１０に接続している外部入出力デバイス４０を使用して、被保護者端末３０の中継装置２０への接続制限を解除する際の、制御部１１の動作を示すフローチャートである。
【００６４】
なお、外部入出力デバイス４０は、利用者が情報を入力するための１つまたは複数の装置を含むものとする（例えば、ＮＦＣ読み取り装置、ボタン、キーボード等）。ここで、ＮＦＣ読み取り装置は、端末３０に内蔵されたＮＦＣ対応のＩＣチップ（「Ｉｎｔｅｇｒａｔｅｄ  Ｃｉｒｃｕｉｔ」の略称）に含まれる情報を読み取り、制御部１１に入力通知を送信する。ここで、ＮＦＣ読み取り装置からの入力通知には、送信元がＮＦＣ読み取り装置であることを示す情報と、読み取った被保護者端末３０の端末識別情報とが含まれるものとする。そして、ボタンが押下されたときの入力通知には、送信元がボタンである旨を示す情報が含まれるように回路が構成されているものとする。さらに、キーボードからの入力通知には、送信元がキーボードであることを示す情報と、当該キーボードから入力された１つまたは複数の端末識別情報とが含まれるものとする。
【００６５】
図８を参照すると、まず、制御部１１は、外部入出力デバイス４０から入力通知を受信する（ステップＳ４０１）。受信した入力通知の送信元がＮＦＣ読み取り装置である場合（ステップＳ４０２で「ＹＥＳ」の場合）、制御部１１は、制限解除通知に含まれる解除単位に「個別」を設定するとともに、解除端末に、ステップＳ４０１で受信した入力通知に含まれる被保護者端末３０を示す端末識別情報を設定する（ステップＳ４０７）。そして、制御部１１は、制限解除通知を中継装置２０に送信する（ステップＳ４０５）。
【００６６】
ステップＳ４０１で受信した入力通知の送信元がＮＦＣ読み取り装置ではなく（ステップＳ４０２で「ＮＯ」の場合）、ボタンである場合（ステップＳ４０３で「ＹＥＳ」の場合）、制御部１１は、解除単位に「全て」を設定し、解除端末には何も設定しない（ステップＳ４０６）。そして、制御部１１は、制限解除通知を中継装置２０に送信する（ステップＳ４０５）。
【００６７】
そして、次に、入力通知の送信元がキーボードである場合（ステップＳ４０３で「ＮＯ」の場合）、制御部１１は、解除単位に「個別」を設定するとともに、解除端末に、ステップＳ４０１で受信した入力通知に含まれる、被保護者端末３０を示す１つまたは複数の端末識別情報を設定する（ステップＳ４０４）。そして、制御部１１は、制限解除通知を中継装置２０に送信する（ステップＳ４０５）。
【００６８】
なお、図８の説明では、外部入出力デバイス４０に、ＮＦＣ読み取り装置、ボタン、またはキーボードが接続されているものとして説明したが、これらに限られるものではなく、制御部１１に何らかの入力通知を送信できる装置であればよい。
【００６９】
以上、図７および図８に示したように、制御部１１は、中継装置２０への接続が制限されている被保護者端末３０の接続制限を解除するための制限解除通知を、中継装置２０に送信する。
【００７０】
次に、被保護者端末３０の中継装置２０への接続制限を解除する際の、中継装置制御部２１の動作について、図９のフローチャートを参照して説明する。
【００７１】
図９を参照すると、まず、中継装置制御部２１は、通信装置１０から制限解除通知を受信する（ステップＳ５０１）。
【００７２】
次に、中継装置制御部２１は、受信した制限解除通知に含まれる解除単位が「全て」であるか否かを判別する（ステップＳ５０２）。受信した制限解除通知に含まれる解除単位が「全て」である場合（ステップＳ５０２で「ＹＥＳ」の場合）、中継装置制御部２１は、端末制限状態テーブル２２１の全てのレコードの制限状態欄に「許可中」を登録する（ステップＳ５０３）。そして、中継装置制御部２１は、被保護者端末３０の接続制限解除が完了した旨の情報を含む制限解除応答を、通信装置１０に送信する（ステップＳ５０４）。
【００７３】
受信した制限解除通知に含まれる解除単位が「個別」である場合（ステップＳ５０２で「ＮＯ」の場合）、中継装置制御部２１は、その制限解除通知に含まれる解除端末に設定されている端末識別情報を基に端末制限状態テーブル２２１の端末識別欄を検索し、同じ端末識別情報が登録されているレコードの制限状態欄に「許可中」を登録する（ステップＳ５０５）。そして、中継装置制御部２１は、被保護者端末３０の接続制限解除が完了した旨の情報を含む制限解除応答を、通信装置１０に送信する（ステップＳ５０４）。
【００７４】
このようにして、中継装置２０との接続が制限された被保護者端末３０の接続制限を解除するためには、通信装置１０に接続している端末３０か、または、外部入出力デバイス４０から、通信装置１０に何らかの入力動作をすることが必要となる。すなわち、被保護者を、通信装置１０のある環境（すなわち、保護者の監視可能な環境）に物理的に移動させることができる。
【００７５】
なお、本実施形態では、通信装置１０に接続する中継装置２０が１台の場合について説明した。しかし、本発明の実施形態はこれに限られるものではなく、複数の中継装置２０が、通信装置１０から直列に接続されているか、または並列に接続（すなわち、各中継装置２０が個別に通信装置１０に接続されている場合）されていてもよい。このような場合、通信装置１０から送信される接続制限通知、および制限解除通知は、同じ内容のものが一斉に各中継装置２０へ送信される。そして、各々の中継装置２０で、図６に示す接続制限設定処理や、図９に示す接続制限解除処理が実行される。
【００７６】
以上、本実施形態には、携帯端末等を利用する被保護者がインターネット等の外部ネットワークを利用する際に、保護者が、その被保護者を、監視可能な環境（例えば、保護者の周囲、または保護者の監督下、等）に物理的に移動させることができるという効果がある。
【００７７】
その理由としては、保護者端末３０が通信装置１０に接続することにより、被保護者端末３０の中継装置２０への接続制限をかける。これにより、被保護者端末３０を、中継装置２０とは接続できず、通信装置１０とのみ接続可能な状態（すなわち、保護者の監視可能な状態）にすることができるからである。
【００７８】
また、中継装置２０との接続が制限された被保護者端末３０が、接続制限を解除するためには、通信装置１０に接続している端末３０か、または、外部入出力デバイス４０から、通信装置１０に何らかの入力をすることが必要となる。これにより、通信装置１０の周辺（すなわち、保護者の監視可能な環境）に被保護者を物理的に移動させることができるからである。
【００７９】
［第２の実施形態］
次に、本発明の第２の実施形態について説明する。
【００８０】
図１０は本実施形態を示すブロック図である。
【００８１】
以下に、本実施形態の構成及び動作について説明する。なお、以下では、第１の実施形態と重複する構成要素や動作については、その説明を省略する。
【００８２】
図１０を参照すると、本システムは、通信装置１０と、通信装置１０と接続された中継装置６０と、それぞれ固有の端末識別情報（例えば、ＭＡＣアドレス等）が割り当てられている少なくとも１つの端末３０と、通信装置１０と接続された１つまたは複数の外部入出力デバイス４０と、中継装置６０と接続された少なくとも１つのセンサ７０とを含む。
【００８３】
通信装置１０と中継装置６０とは、有線または無線で接続されており、相互にデータをやり取りすることができる。
【００８４】
中継装置６０は、中継装置制御部６１と、端末制限状態テーブル６２１を備える中継装置記憶部６２と、中継装置入力部６３とを含む。
【００８５】
中継装置制御部６１は、通信装置１０との通信制御処理や、端末３０に割り当てられた端末識別情報を基にした接続制御処理や、端末３０との接続時の通信制御処理などを実行する。中継装置制御部６１は、プログラムを記憶する記憶デバイス（図示せず）と、そのプログラムをメモリに読み込んで命令を実行するプロセッサ（図示せず）とを含む。
【００８６】
中継装置入力部６３は、有線または無線で接続されたセンサ７０からの信号を取得する。ここで、センサ７０は、例えば、人の動作を検知する人感センサである。センサ７０は、中継装置入力部６３のセンサ状態返信指示信号に応答して、人の動作を検知している場合は「反応あり」を示す信号を中継装置入力部６３に返信し、人の動作を検知していない場合は「反応なし」を示す信号を返信する。なお、センサ７０は中継装置６０に含まれていてもよい。
【００８７】
端末制限状態テーブル６２１は、図４に示す端末制限状態テーブル２２１と同様の構成であるので、詳細な説明は省略する。
【００８８】
次に、中継装置６０への接続が制限される被保護者端末３０の情報を、中継装置６０へ登録する際の中継装置制御部６１の動作について、図１１のフローチャートを参照して説明する。なお、このときの通信装置１０の動作については、図５のフローチャートに示す動作と同様の動作のため、説明は省略する。
【００８９】
図１１を参照すると、まず、中継装置制御部６１は、通信装置１０から接続制限通知を受信する（ステップＳ６０１）。
【００９０】
次に、中継装置制御部６１は、中継装置入力部６３を介してセンサ７０からの信号を受信する。そして、センサ７０から受信した信号が「反応あり」を示す信号であった場合（ステップＳ６０２で「ＹＥＳ」の場合）、中継装置制御部６１は、通信装置１０から受信した接続制限通知に、被保護者端末の端末識別情報が含まれているか否かを判別する（ステップＳ６０３）。なお、以降のステップＳ６０４およびステップＳ６０６の動作は、図５に示すフローチャートのステップＳ２０３およびステップＳ２０５の動作と同様のため、説明を省略する。そして、中継装置制御部６１は、被保護者端末３０の接続制限の設定が完了した旨の情報を含む接続制限応答を、通信装置１０に送信する（ステップＳ６０５）。
【００９１】
一方、ステップＳ６０２で、センサ７０から受信した信号が「反応なし」を示す信号であった場合（ステップＳ６０２で「ＮＯ」の場合）、中継装置制御部６１は、接続を制限する設定は行わない。そして、中継装置制御部６１は、被保護者端末３０の接続制限の設定を行わなかった旨の情報を含む接続制限応答を、通信装置１０に送信する（ステップＳ６０５）。
【００９２】
以降、中継装置制御部６１は、端末制限状態テーブル６２１を参照し、制限状態欄に「制限中」が登録されているレコードの端末識別欄に登録されている端末識別情報が示す被保護者端末３０の、中継装置６０への接続制限処理を実行する。
【００９３】
このようにして、センサ７０から受信した信号が「反応なし」を示す信号である場合、中継装置制御部６１は、制限対象となる被保護者が存在しないと判別し、接続を制限する設定は行わない。
【００９４】
次に、被保護者端末３０の中継装置６０への接続制限を解除する際の、中継装置制御部６１の動作について、図１２のフローチャートを参照して説明する。なお、このときの通信装置１０の動作については、図７および図８のフローチャートに示す動作と同様の動作のため、説明は省略する。
【００９５】
図１２を参照すると、まず、中継装置制御部６１は、通信装置１０から制限解除通知を受信する（ステップＳ７０１）。
【００９６】
次に、中継装置制御部６１は、中継装置入力部６３を介してセンサ７０からの信号を受信する。そして、センサ７０から受信した信号が「反応なし」を示す信号であった場合（ステップＳ７０２で「ＹＥＳ」の場合）、中継装置制御部６１は、通信装置１０から受信した制限解除通知に含まれる解除単位が「全て」であるか否かを判別する（ステップＳ７０３）。なお、以降のステップＳ７０４およびステップＳ７０６の動作は、図９に示すフローチャートのステップＳ５０３およびステップＳ５０５の動作と同様のため、説明を省略する。そして、中継装置制御部６１は、被保護者端末３０の接続制限解除が完了した旨の情報を含む制限解除応答を、通信装置１０に送信する（ステップＳ７０５）。
【００９７】
一方、ステップＳ７０２で、センサ７０から受信した信号が「反応あり」を示す信号であった場合（ステップＳ７０２で「ＮＯ」の場合）、中継装置制御部６１は、接続制限を解除する設定は行わない。そして、中継装置制御部６１は、被保護者端末３０の接続制限解除の設定を行わなかった旨の情報を含む接続制限応答を、通信装置１０に送信する（ステップＳ７０５）。
【００９８】
このようにして、センサ７０から受信した信号が「反応あり」の場合、中継装置制御部６１は、制限対象である被保護者が中継装置６０の周辺にいると判別し、接続制限を解除する設定を行わない。例えば、被保護者になりすました別人が通信装置１０のある環境（すなわち、保護者の監視可能な環境）におもむいて、被保護者端末３０の接続制限を解除しようとした場合でも、センサ７０から受信した信号が「反応あり」の場合は、接続制限を解除しない。
【００９９】
また、本実施形態には、第１の実施形態と同様に、携帯端末等を利用する被保護者がインターネット等の外部ネットワークを利用する際に、保護者が、その被保護者を、監視可能な環境（例えば、保護者の周囲、または保護者の監督下、等）に物理的に移動させることができるという効果がある。
【０１００】
その理由としては、別人が被保護者になりすまして通信装置１０のある環境（すなわち、保護者の監視可能な環境）におもむいたとしても、センサ７０から受信した信号が「反応あり」の場合は、中継装置制御部６１は、制限対象である被保護者が中継装置６０の周辺にいると判別し、接続制限を解除する設定を行わない。そのため、制限対象である被保護者を、通信装置１０のある環境に物理的に移動させることができるからである。
【０１０１】
［第３の実施形態］
次に、本発明の第１および第２の実施形態の基本的な構成を含む、第３の実施形態について説明する。
【０１０２】
図１３は本実施形態を示すブロック図である。
【０１０３】
以下に、本実施形態の構成および動作について説明する。なお、以下では、第１および第２の実施形態と重複する構成要素や動作については、その説明を省略する。
【０１０４】
図１３を参照すると、本システムは通信装置８０と、通信装置８０と接続された中継装置９０とを含む。
【０１０５】
通信装置８０と中継装置９０とは、有線または無線で接続されており、相互にデータをやり取りすることができる。
【０１０６】
通信装置８０は、制御部８１と、端末情報記憶部８２とを含む。
【０１０７】
制御部８１は、中継装置９０との通信制御処理や、図示しない端末に割り当てられた端末識別情報を基にした接続制御処理や、図示しない端末との接続時の通信制御処理などを実行してもよい。
【０１０８】
端末情報記憶部８２は、図２に示す保護者端末テーブル１２１と同様な構成でもよい。
【０１０９】
中継装置９０は、中継装置制御部９１と、端末制限状態記憶部９２とを含む。
【０１１０】
中継装置制御部９１は、通信装置８０との通信制御処理や、図示しない端末に割り当てられた端末識別情報を基にした接続制御処理や、図示しない端末との接続時の通信制御処理などを実行してもよい。
【０１１１】
端末制限状態記憶部９２は、図４に示す端末制限状態テーブル２２１と同様の構成でもよい。
【０１１２】
次に、本システムの動作について説明する。
【０１１３】
端末情報記憶部８２に端末識別情報が登録されている図示しない第１の端末が通信装置８０に接続された場合、制御部８１は、第２の端末の中継装置９０への接続を制限する旨を示す接続制限通知を中継装置９０に送信する。
【０１１４】
中継装置制御部９１は、通信装置８０から接続制限通知を受信した場合、端末制限状態記憶部９２に登録されているレコードの制限状態欄に、「制限中」を登録する。
【０１１５】
以上、本実施形態には、第１の実施形態と同様に、第２の端末を利用する被保護者がインターネット等の外部ネットワークを利用する際に、第１の端末を利用する保護者が、その被保護者を、監視可能な環境（例えば、保護者の周囲、または保護者の監督下、等）に物理的に移動させることができるという効果がある。
【０１１６】
その理由としては、第１の端末が通信装置８０に接続することにより、第２の端末の中継装置９０への接続に制限をかける。これにより、第２の端末を、中継装置９０とは接続できず、通信装置８０とのみ接続可能な状態（すなわち、保護者の監視可能な状態）にすることができるからである。
【符号の説明】
【０１１７】
１０    通信装置
１１    制御部
１２    記憶部
１３    入出力部
２０    中継装置
２１    中継装置制御部
２２    中継装置記憶部
３０    端末
４０    外部入出力デバイス
６０    中継装置
６１    中継装置制御部
６２    中継装置記憶部
６３    中継装置入力部
７０    センサ
８０    通信装置
８１    制御部
８２    端末情報記憶部
９０    中継装置
９１    中継装置制御部
９２    端末制限状態記憶部
１２１    保護者端末テーブル
１２２    被保護者端末制限解除許可テーブル
２２１    端末制限状態テーブル
６２１    端末制限状態テーブル
【図１】
2020167727.tif 000003
【図２】
2020167727.tif 000004
【図３】
2020167727.tif 000005
【図４】
2020167727.tif 000006
【図５】
2020167727.tif 000007
【図６】
2020167727.tif 000008
【図７】
2020167727.tif 000009
【図８】
2020167727.tif 000010
【図９】
2020167727.tif 000011
【図１０】
2020167727.tif 000012
【図１１】
2020167727.tif 000013
【図１２】
2020167727.tif 000014
【図１３】
2020167727.tif 000015